(57)【要約】【課題】ヒーターパイプが割れにくく安全性に優れた電気加熱調理器を提供する。【解決手段】前面に開口（図示せず）を有する加熱室５１を形成する内筐体５０と、内筐体５０内の上下に配した上、下ヒーター５３、５４と、上、下ヒーター５３、５４間に配した焼き網５５と、少なくとも上ヒーター５３の外方に配置されると共に複数の開口５３Ｆを有する環状のヒーターガード５３Ｄからなり、上、下ヒーター５３、５４のそれぞれは、電熱線５３Ａ、５４Ａを内装すると共に耐熱性のヒーターパイプ５３Ｃ、５４Ｃと、電熱線５３Ａ、５４Ａの両端に装着された陶器５３Ｂ、５４Ｂとからなり、ヒーターガード５３Ｄの両端を陶器５３Ｂで支持するようにしたもので、割れ易いヒーターパイプ５３Ｃはヒーターガード５３Ｄで覆われているので、受け皿（図示せず）等により外方から衝撃が加わっても、ヒーターパイプ５３Ｃが割れることがない。【選択図】図２
2007120798.tif 000002
【特許請求の範囲】
【請求項１】
前面に開口を有する加熱室を形成する内筐体と、該開口を開閉する扉と、前記内筐体内の上下に配した上、下ヒーターと、前記上、下ヒーター間に配した焼き網と、少なくとも上ヒーターの外方に配置されると共に複数の開口を有する環状のヒーターガードからなり、前記上、下ヒーターのそれぞれは、電熱線を内装すると共に耐熱性のヒーターパイプと、前記電熱線の両端に装着された陶器とからなり、前記ヒーターガードの両端を前記陶器で支持するようにした電気加熱調理器。
【請求項２】
ヒーターガードの長手方向に、複数の段押し部を形成し、前記段押し部の上部面及び下部面に開口を設けた請求項１に記載の電気加熱調理器。
【発明の詳細な説明】
【技術分野】
【０００１】
本発明は、一般家庭で使用されるオーブントースター等の電気加熱調理器に関するものである。
【背景技術】
【０００２】
従来、この種の電気加熱調理器は、耐熱性のヒーターパイプを備え、そのヒーターパイプの内部に電熱線を内装し、この電熱線とともにヒーターパイプの両端に陶器を装着させるのが一般的な構成であった（例えば、特許文献１参照）。
【０００３】
図５は、前記特許文献１に記載された従来の電気加熱調理器の構成を示す断面図である。図５において、１１は前面に開口（図示せず）を有する加熱室１０を形成する内筐体で、内部に上、下ヒーター１３、１４を備えている。前記開口を開閉する扉（図示せず）が回動自在に設けられている。１５は、被調理物（図示せず）を載せる焼き網で、上、下ヒーター１３、１４の間に配されている。上、下ヒーター１３、１４のそれぞれは、コイル状の電熱線１６、１７を内装したヒーターパイプ１８、１９と、ヒーターパイプ１８、１９の両端に配した陶器２０、２１より構成されている。
【特許文献１】特開２００４−２２２１７号公報（第５頁、図１）
【発明の開示】
【発明が解決しようとする課題】
【０００４】
しかしながら、前記従来の電気加熱調理器の構成では、ヒーターパイプ１８、１９が加熱室１０内に露出しているので、受け皿（図示せず）等がヒーターパイプ１８、１９に強く当たると、ヒーターパイプ１８、１９が割れ、その内部に配していた電熱線１６、１７が露出し、それが内筐体１１に接触すると内筐体１１に電気が流れ、使用者の手が内筐体１１に触れたときに感電するという課題を有していた。
【０００５】
本発明は、前記従来の課題を解決するもので、万一ヒーター部分に受け皿等が当たっても、ヒーターパイプが割れることが無い、安全性に優れた電気加熱調理器を提供することを目的とするものである。
【課題を解決するための手段】
【０００６】
前記従来の課題を解決するために、本発明の電気加熱調理器は、前面に開口を有する加熱室を形成する内筐体と、該開口を開閉する扉と、前記内筐体内の上下に配した上、下ヒーターと、前記上、下ヒーター間に配した焼き網と、少なくとも上ヒーターの外方に配置されると共に複数の開口を有する環状のヒーターガードからなり、前記上、下ヒーターのそれぞれは、電熱線を内装すると共に耐熱性のヒーターパイプと、前記電熱線の両端に装着された陶器とからなり、前記ヒーターガードの両端を前記陶器で支持するようにしたもので、割れ易いヒーターパイプはヒーターガードで覆われているので、受け皿等により外方から衝撃が加わっても、ヒーターパイプが割れることがなく安全性の高い電気加熱調理器を提供することができる。
【発明の効果】
【０００７】
本発明の電気加熱調理器は、ヒーターに受け皿等が当たっても、割れ易いヒーターパイプには直接当たらないので割れることがなく、安全性の高いものである。
【発明を実施するための最良の形態】
【０００８】
第１の発明は、前面に開口を有する加熱室を形成する内筐体と、該開口を開閉する扉と、前記内筐体内の上下に配した上、下ヒーターと、前記上、下ヒーター間に配した焼き網と、少なくとも上ヒーターの外方に配置されると共に複数の開口を有する環状のヒーターガードからなり、前記上、下ヒーターのそれぞれは、電熱線を内装すると共に耐熱性のヒーターパイプと、前記電熱線の両端に装着された陶器とからなり、前記ヒーターガードの両端を前記陶器で支持するようにしたもので、割れ易いヒーターパイプはヒーターガードで覆われているので、受け皿等により外方から衝撃が加わっても、ヒーターパイプが割れることがなく安全性の高い電気加熱調理器を提供することができる。
【０００９】
第２の発明は、特に、第１の発明のヒーターガードの長手方向に、複数の段押し部を形成し、前記段押し部の上部面及び下部面に開口を設けたもので、ヒーターガードの強度が高まり、より安全性の高い電気加熱調理器を提供することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における電気加熱調理器の縦断面図、図２は、同電気加熱調理器の横断面図、図３は、同電気加熱調理器のヒーターガードの拡大斜視図、図４は、同電気加熱調理器の正面図である。
【００１２】
図１〜４において、５０は、前面に開口５０Ａを有する加熱室５１を形成する内筐体で、扉５２で開口５０Ａを開閉している。内筐体５０内の上下には、上ヒーター５３と下ヒーター５４が設けられ、上・下ヒーター５３、５４間には、焼き網５５が配されている。
【００１３】
上ヒーター５３、下ヒーター５４のそれぞれは、電熱線５３Ａ、５４Ａを内装すると共に耐熱性のヒーターパイプ５３Ｃ、５４Ｃと、この電熱線５３Ａ、５４Ａのそれぞれの両端に装着された陶器５３Ｂ、５４Ｂから構成されている。
【００１４】
ヒーターガード５３Ｄ、５４Ｄは、断面が複数の段部となる段押し部５３Ｅ、５４Ｅを有し、段押し部５３Ｅ、５４Ｅの上部面、下部面となる平面部には、複数の開口５３Ｆ、５４Ｆを設け、これを環状に湾曲させてヒーターパイプ５３Ｃ、５４Ｃの外方に配し、このヒーターガード５３Ｄ、５４Ｄの両端を陶器５３Ｂ、５４Ｂに挿入して構成している。この上ヒーター５３、下ヒーター５４はそれぞれ内筐体５０の側壁５０Ｂに設けた開口５０Ｃに挿入され保持されている。
【００１５】
以上のように構成された電気加熱調理器について、以下その動作、作用を説明する。
【００１６】
まず、扉５２を開放して、焼き網５５の上部に調理物（図示せず）を戴置し、扉５２を閉止して通電を開始すると、調理が開始される。受け皿（図示せず）等を使って調理をするときは、調理物を受け皿に乗せた後、加熱室５１内の焼き網５５に戴置する。この時、特に上ヒーター５３には、受け皿等が当たり易いが、割れ易いヒーターパイプ５３Ｃは、外方に配されたヒーターガード５３Ｄにより覆われているので、直接受け皿がヒーターパイプ５３Ｃに当たることがない。
【００１７】
以上のように、本実施の形態によれば、ヒーターパイプ５３Ｃ、５４Ｃのそれぞれの外方にヒーターガード５３Ｄ、５４Ｄを配しているので、ヒーターパイプ５３Ｃ、５４Ｃに直接外部の衝撃が加わることがない。またヒーターガード５３Ｄ、５４Ｄのそれぞれは、複数個の段押し部５３Ｅを設けた後、環状に湾曲させて構成しているので、ヒーターガード５３Ｄ、５４Ｄの変形強度が強くなり、さらに安全性の高い電気加熱調理器とすることができる。
【００１８】
なお、上記実施の形態では、上・下ヒーター５３、５４のそれぞれにヒーターガード５３Ｄ、５４Ｄを設けたが、下ヒーター５４の上には、焼き網５５が配置され、それが下ヒーター５４を保護する役目をなすので、上ヒーター５３だけにヒーターガード５３Ｄを設けるようにしても良い。
【産業上の利用可能性】
【００１９】
以上のように、本発明にかかる電気加熱調理器は、加熱室内に配され割れ易いガラス等を用いたヒーターパイプがヒーターガードで保護されているので、外部の衝撃が加わってもヒーターパイプが割れることが無いもので、オーブンやロースター等の各種電気加熱調理器にも適用できるものである。
【図面の簡単な説明】
【００２０】
【図１】本発明の実施の形態１における電気加熱調理器の縦断面図
【図２】同電気加熱調理器の横断面図
【図３】同電気加熱調理器のヒーターガードの拡大斜視図
【図４】同電気加熱調理器の正面図
【図５】従来の電気加熱調理器の縦断面図
【符号の説明】
【００２１】
５０  内筐体
５１  加熱室
５２  扉
５３  上ヒーター
５３Ａ、５４Ａ  電熱線
５３Ｂ、５４Ｂ  陶器
５３Ｃ、５４Ｃ  ヒーターパイプ
５３Ｄ、５４Ｄ  ヒーターガード
５３Ｅ、５４Ｅ  段押し部
５３Ｆ、５４Ｆ  開口
５４  下ヒーター
５５  焼き網
【図１】
2007120798.tif 000003
【図２】
2007120798.tif 000004
【図３】
2007120798.tif 000005
【図４】
2007120798.tif 000006
【図５】
2007120798.tif 000007